(57)【要約】【課題】  ディスク本体がほぼ透明な光記録媒体のデザイン性を高めるとともに、表裏の識別を容易とする。【解決手段】  本発明による光記録媒体１０は、光入射面１１ａ側からレーベル面１１ｂを視認可能なディスク本体１１と、ディスク本体１１のレーベル面１１ｂに形成され、光入射面１１ａ側から視認可能な第１の印刷層１２と、第１の印刷層１２上に形成され、光入射面１１ａとは反対側から視認可能な第２の印刷層１３とを備える。このように、透明なディスク本体１１のレーベル面１１ｂ側に２つの印刷層が設けられていることから、光記録媒体１０の両面をデザインすることが可能となる。したがって、光記録媒体１０の表と裏で異なるデザインとすることができるばかりでなく、ディスク本体１１がほぼ透明であるにもかかわらず、表裏を容易に識別することも可能となる。【選択図】          図１
2005346866.tif 000002
【特許請求の範囲】
【請求項１】
光入射面側からレーベル面を視認可能なディスク本体と、前記ディスク本体の前記レーベル面に形成されたレーベル印刷層とを備え、前記レーベル印刷層は、前記光入射面側から視認可能な第１の印刷層と、前記光入射面とは反対側から視認可能な第２の印刷層とを含んでいることを特徴とする光記録媒体。
【請求項２】
前記第１の印刷層の印刷内容と前記第２の印刷層の印刷内容が互いに異なっていることを特徴とする請求項１に記載の光記録媒体。
【請求項３】
前記第１及び第２の印刷層の少なくとも一方には、前記ディスク本体の表裏を識別可能な文字又は図形が印刷されていることを特徴とする請求項２に記載の光記録媒体。
【請求項４】
前記レーベル印刷層は、前記第１の印刷層と前記第２の印刷層との間に設けられ、前記光入射面側から前記第２の印刷層の印刷内容の視認性を低下させるともに、前記光入射面とは反対側から前記第１の印刷層の印刷内容の視認性を低下させる遮蔽層をさらに含んでいることを特徴とする請求項１乃至３のいずれか１項に記載の光記録媒体。
【請求項５】
前記ディスク本体は、一方の面に螺旋状又は同心円状にピット列が形成され、他方の面が前記レーベル面を構成する支持基板と、前記支持基板の前記一方の面を覆って設けられた反射層と、前記反射層から見て前記光入射面側に設けられた光透過層とを含むことを特徴とする請求項１乃至４のいずれか１項に記載の光記録媒体。
【発明の詳細な説明】
【技術分野】
【０００１】
本発明は光記録媒体に関し、特に、ほぼ透明なディスク本体を有する光記録媒体に関する。
【背景技術】
【０００２】
従来より、デジタルデータを記録するための記録媒体として、ＣＤ（Compact Disc）やＤＶＤ（Digital Versatile Disc）に代表される光記録媒体が広く利用されている。これらの光記録媒体は、ＣＤ−ＲＯＭやＤＶＤ−ＲＯＭのようにデータの追記や書き換えができないタイプの光記録媒体（ＲＯＭ型光記録媒体）と、ＣＤ−ＲやＤＶＤ−Ｒのようにデータの追記はできるがデータの書き換えができないタイプの光記録媒体（追記型光記録媒体）と、ＣＤ−ＲＷやＤＶＤ−ＲＷのようにデータの書き換えが可能なタイプの光記録媒体（書き換え型光記録媒体）に大別することができる。
【０００３】
これらの光記録媒体に対するデータの記録や再生には、いずれもレーザビームが用いられることから、光記録媒体にはレーザビームを反射するための「反射層」が一般に設けられる。反射層の材料としては、アルミニウム（Ａｌ）や銀（Ａｇ）を主成分とする合金など、反射率の高い金属材料が用いられることが多く、このため、光入射面側からレーベル面は視認できないのが通常である（特許文献１）。
【特許文献１】特開平１−１２８２３４号公報
【発明の開示】
【発明が解決しようとする課題】
【０００４】
しかしながら、青色波長領域のレーザビームが用いられる次世代型の光記録媒体では、書き換え可能なタイプの反射率を考慮すると、反射層の材料として金属以外の材料（酸化物など）を選択したり、場合によっては、反射層自体を省略するといったことが可能となる。反射層の材料として透過率の高い材料を用いたり反射層自体を省略したりすると、ディスク本体の透明度が極めて高くなることから、レーベル面に印刷した内容が光入射面側から容易に視認できるようになる。
【０００５】
このことは、光記録媒体のデザインに新たな可能性を与える一方で、表裏の識別が困難となり、ドライブに光記録媒体を誤って裏返しに挿入するといった危険性を生じさせてしまう。
【０００６】
したがって、本発明の目的は、デザイン性を高めることが可能な光記録媒体を提供することである。
【０００７】
また、本発明の他の目的は、ディスク本体がほぼ透明でありながら表裏を容易に識別可能な光記録媒体を提供することである。
【課題を解決するための手段】
【０００８】
本発明による光記録媒体は、光入射面側からレーベル面を視認可能なディスク本体と、ディスク本体のレーベル面に形成されたレーベル印刷層とを備え、レーベル印刷層は、光入射面側から視認可能な第１の印刷層と、光入射面とは反対側から視認可能な第２の印刷層とを含んでいることを特徴とする。
【０００９】
本発明によれば、透明なディスク本体のレーベル面側に少なくとも２つの印刷層が設けられていることから、光記録媒体の両面をデザインすることが可能となる。例えば、第１の印刷層の印刷内容と第２の印刷層の印刷内容を互いに異ならせれば、光記録媒体の表と裏で異なるデザインとすることができる。また、第１及び第２の印刷層の少なくとも一方にディスク本体の表裏を識別可能な文字又は図形を印刷すれば、ディスク本体がほぼ透明であるにもかかわらず、表裏を容易に識別することも可能となる。
【００１０】
レーベル印刷層は、第１の印刷層と第２の印刷層との間に設けられ、光入射面側から第２の印刷層の印刷内容の視認性を低下させるともに、光入射面とは反対側から第１の印刷層の印刷内容の視認性を低下させる遮蔽層をさらに含んでいることが好ましい。これによれば、第１の印刷層や第２の印刷層の厚さが薄い場合であっても、所望のデザイン性が得られ、且つ、表裏を容易に識別することが可能となる。
【００１１】
ディスク本体は、一方の面に螺旋状又は同心円状にピット列が形成され、他方の面がレーベル面を構成する支持基板と、支持基板の前記一方の面を覆って設けられた反射層と、反射層から見て光入射面側に設けられた光透過層とを含むことが好ましい。このようなディスク本体は、いわゆる次世代型の再生専用（ＲＯＭ型）ディスクであり、要求される反射率が低く且つ高い透明度を得やすいことから、本発明の適用が非常に好適である。
【発明の効果】
【００１２】
このように、本発明によれば、光記録媒体の両面をデザインすることが可能であることから、デザイン性を高めることが可能となるのみならず、光記録媒体の表と裏で異なるデザインとすれば、ディスク本体がほぼ透明でありながら表裏を容易に識別することが可能となる。
【発明を実施するための最良の形態】
【００１３】
以下、添付図面を参照しながら、本発明の好ましい実施の形態について詳細に説明する。
【００１４】
図１は、本発明の好ましい実施形態による光記録媒体１０の外観を模式的に示す切り欠き斜視図である。
【００１５】
本実施形態による光記録媒体１０は、外径が約１２０ｍｍ、厚みが約１．２ｍｍである円盤状の光記録媒体であり、図１に示すように、ディスク本体１１と、ディスク本体１１のレーベル面１１ｂに設けられた第１の印刷層１２と、第１の印刷層１２上に設けられた第２の印刷層１３とを備えて構成されている。また、光記録媒体１０の中心部には中心孔１４が設けられている。尚、本発明では、ディスク本体のレーベル面側に設けられた複数の層（本実施形態では第１の印刷層１２と第２の印刷層１３）をまとめて単に「レーベル印刷層」と総称する。
【００１６】
ディスク本体１１は、記録時及び／又は再生時にレーザビームが照射される光入射面１１ａとその裏面であるレーベル面１１ｂとを有しており、光入射面１１ａ側からレーベル面１１ｂを視認可能な程度の透明度を有している。ディスク本体１１の種類については特に限定されず、ＣＤ−ＲＯＭ、ＣＤ−Ｒ、ＣＤ−ＲＷ等のＣＤ型ディスク、ＤＶＤ−ＲＯＭ、ＤＶＤ−Ｒ、ＤＶＤ−ＲＷ等のＤＶＤ型ディスク、さらには、青色波長領域のレーザビームが用いられる次世代型の光ディスクを用いることが可能である。但し、光入射面１１ａ側からレーベル面１１ｂを視認可能な程度の透明度を持たせるためには、ＤＶＤ型ディスク又は次世代型の光ディスクを用いることが好ましく、なかでも、次世代型の光ディスクを用いることが特に好ましい。これは、ＤＶＤ型ディスクや次世代型の光ディスク、特に次世代型の光記録媒体では、求められる反射率が相対的に低いからである。
【００１７】
図２は、本発明の適用が可能なディスク本体１１のいくつかの例を示す図であり、（ａ）は次世代型ディスク、（ｂ）はＤＶＤ型ディスクの断面をそれぞれ示している。
【００１８】
図２（ａ）に示すように、次世代型ディスクは、一方の面がレーベル面１１ｂとなる厚さ約１．１ｍｍの支持基板２１と、支持基板２１の他方の面に設けられた機能層２２と、機能層２２を覆う厚さ約０．１ｍｍの光透過層２３とを備え、光透過層２３の表面が光入射面１１ａとなる。したがって、ディスク本体１１として図２（ａ）に示す次世代型のディスクを用いる場合には、支持基板２１の表面（レーベル面１１ｂ）に第１の印刷層１２及び第２の印刷層１３が設けられることになる。
【００１９】
支持基板２１の材料としては、可視光領域において透明な材料を用いる必要がある。可視光領域において透明な材料としては、ポリカーボネート樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等の樹脂を好ましく挙げることができる。中でも、優れた加工性を有する等の理由から、ポリカーボネート樹脂又はオレフィン樹脂を用いることが特に好ましい。
【００２０】
一方、光透過層２３の材料としては、可視光領域において透明であるとともに、記録及び／又は再生時に照射されるレーザビームの光路となることからレーザビームの波長領域（例えば約４０５ｎｍ）において透明な材料を用いる必要がある。このような材料としては、アクリル系又はエポキシ系の紫外線硬化性樹脂を好ましく挙げることができる。また、紫外線硬化性樹脂を硬化させてなる膜のかわりに、光透過性樹脂からなる光透過性シートと各種接着剤や粘着剤を用いて光透過層２３を形成してもよい。
【００２１】
機能層２２の構造や材料はディスクの種類によって異なる。つまり、ＲＯＭ型ディスクの場合、機能層２２は、図３に示すように反射層２２ａによって構成することができ、追記型ディスクの場合、機能層２２は、図４に示すように反射層２２ａとその表面に設けられた記録層２２ｂによって構成することができ、書き換え型ディスクの場合、機能層２２は、図５に示すように記録層２２ｂと、これを挟んで設けられた複数の誘電体層２２ｃと、反射層２２ａとによって構成することができる。
【００２２】
本発明では、光入射面１１ａ側からレーベル面１１ｂを視認可能であることが必要であるため、いずれの層も透明度の高い材料を選択する必要がある。したがって、反射層２２ａの材料については、アルミニウム（Ａｌ）や銀（Ａｇ）を主成分とする合金など、反射率の高い金属材料ではなく、シリコン（Ｓｉ）や酸化チタン（ＴｉＯ２）など、所定以上の反射率を有し且つ透過率の高い材料を選択することが好ましい。記録層２２ｂについては、追記型ディスクの場合、誘電体母材（ＺｎＳとＳｉＯ２の混合物など）にマグネシウム（Ｍｇ）及び／又はアルミニウム（Ａｌ）が添加された材料を用いることが好ましく、書き換え型ディスクの場合には、相変化材料を用いることが好ましい。誘電体層２２ｃについては、ＺｎＳとＳｉＯ２の混合物など透明な誘電体材料を用いることが好ましい。このような材料を選択すれば、ディスク本体１１はほぼ透明となり、光入射面１１ａ側からレーベル面１１ｂを視認することが可能となる。
【００２３】
一方、図２（ｂ）に示すように、ＤＶＤ型ディスクは、一方の面が光入射面１１ａとなる厚さ約０．６ｍｍの光透過性基板３１と、一方の面がレーベル面１１ｂとなる厚さ約０．６ｍｍのダミー基板３２と、光透過性基板３１の他方の面に設けられた機能層３３と、機能層３３を覆う保護層３４と、光透過性基板３１、機能層３３及び保護層３４からなる積層体とダミー基板３２とを接着する接着層３５とを備えている。したがって、ディスク本体１１として図２（ｂ）に示すＤＶＤ型のディスクを用いる場合、ダミー基板３２の表面（レーベル面１１ｂ）に第１の印刷層１２及び第２の印刷層１３が設けられることになる。
【００２４】
光透過性基板３１の材料としては、可視光領域において透明であるとともに、レーザビームの波長領域（例えば約６５０ｎｍ）において透明な材料を用いる必要があり、ダミー基板３２の材料としては、可視光領域において透明である必要がある。このような材料としては、ポリカーボネート樹脂やオレフィン樹脂など、支持基板２１の好ましい材料として挙げた材料を選択すればよい。また、保護層３４や接着層３５の材料についても、紫外線硬化性樹脂など、可視光領域において透明な材料を選択する必要がある。機能層３３の構造や材料は、次世代型の光記録媒体と同様、ディスクの種類によって異なるが、ＤＶＤ−Ｒ等の追記型のＤＶＤ型ディスクでは、記録層の材料として一般に有機色素が用いられることから、本発明を追記型のＤＶＤ型ディスクに適用することは困難であると考えられる。
【００２５】
特に限定されるものではないが、本発明において、ディスク本体１１は次世代型の再生専用（ＲＯＭ型）ディスクを選択することが最も好ましい。これは、記録密度の高い次世代型の光記録媒体は要求される反射率が低く、また、再生専用ディスクは全体の層数を最も少なくすることができるからである。ディスク本体１１としては、次世代型の再生専用ディスクを採用する場合、支持基板２１のレーベル面１１ｂとは反対側の面には、螺旋状又は同心円状にピット列が形成され、これによってデータが保持されることになる。
【００２６】
次に、ディスク本体１１のレーベル面１１ｂ側に設けられる第１の印刷層１２及び第２の印刷層１３について説明する。
【００２７】
第１の印刷層１２及び第２の印刷層１３は、いずれもインク等によって構成される層であり、このうち第１の印刷層１２は、光入射面１１ａ側から視認するために設けられ、第２の印刷層１３は、光入射面１１ａとは反対側から視認するために設けられている。これにより、光記録媒体１０の表と裏で異なるデザインとすることが可能となる。
【００２８】
第１の印刷層１２及び第２の印刷層１３の印刷内容については特に限定されず、例えば、本実施形態による光記録媒体１０がＲＯＭ型の光記録媒体であり、映画が収録されているとすれば、第１の印刷層１２にはこの映画のワンシーン、簡単なストーリー、出演者などを印刷し、第２の印刷層１３には映画のタイトルなどを含むパッケージデザインを印刷するといったデザイン案が考えられる。また、音楽が収録されているとすれば、第１の印刷層１２にはこの音楽の歌詞を印刷し、第２の印刷層１３にはアルバムタイトルやアーチスト名などを含むジャケットデザインを印刷するといったデザイン案も考えられる。このように、第１の印刷層１２の印刷内容と第２の印刷層１３の印刷内容を異ならせることができることから、従来困難であった表裏で異なるデザインを実現することが可能となる。
【００２９】
また、デザイン性のみを求めるのみならず、表裏を識別するための文字又は図形を第１の印刷層１２及び／又は第２の印刷層１３に印刷することもまた好ましい。つまり、本実施形態による光記録媒体１０は、ディスク本体１１がほぼ透明であることから、レーベル面１１ｂに全く印刷を行わなかったり、１層の印刷層を設けただけでは、表裏を区別することが容易ではない。このため、ユーザが誤って光記録媒体１０を裏返しにドライブに挿入する危険性が考えられる。これを効果的に防止するためには、例えば第１の印刷層１２に「こちらが記録面です」といった文字を印刷しておいたり、第１の印刷層１２及び第２の印刷層１３の一方又は両方に、表裏を識別するための図形、例えば、第１の印刷層１２に×印、第２の印刷層１３に○印を印刷しておくことが有効である。
【００３０】
さらに、第１の印刷層１２の全面に単色を印刷し、第２の印刷層１３に所定のデザインを印刷するという方法も考えられる。これによれば、光入射面１１ａ側からは第２の印刷層１３に印刷されたデザインが視認できなくなることから、ディスク本体１１がほぼ透明であるにもかかわらず、従来の光記録媒体と同様のデザインとなる。これにより、ユーザが表裏を間違う危険性は極めて少なくなるものと考えられる。
【００３１】
以上説明したように、本実施形態による光記録媒体１０は、透明なディスク本体１１のレーベル面１１ｂ側に２つの印刷層（１２，１３）が設けられていることから、光記録媒体１０の表と裏で異なるデザインとすることができる。このため、デザイン性を高めることが可能となるばかりでなく、ディスク本体１１がほぼ透明であるにもかかわらず、表裏を容易に識別することも可能となる。
【００３２】
図６は、本発明の好ましい他の実施形態による光記録媒体４０の外観を模式的に示す切り欠き斜視図である。
【００３３】
本実施形態による光記録媒体４０は、第１の印刷層１２と第２の印刷層１３との間に遮蔽層４１が設けられている点において、上記実施形態による光記録媒体１０と異なる。その他の点については光記録媒体１０と同様であることから、同じ要素には同じ符号を付し、重複する説明は省略する。
【００３４】
遮蔽層４１は、例えば全面が単色（白色など）の層であり、光入射面１１ａ側からの第２の印刷層１３の視認性を低下させるともに、光入射面１１ａとは反対側からの第１の印刷層１２の視認性を低下させる役割を果たす。つまり、第１の印刷層１２や第２の印刷層１３の厚さが薄い場合、光入射面１１ａ側から第２の印刷層１３の印刷内容を視認できたり、逆に、光入射面１１ａとは反対側から第１の印刷層１２の印刷内容を視認できるケースが考えられ、この場合には、目的とするデザイン性がはっきりと得られなかったり、表裏の区別が付きにくくなるおそれがある。遮蔽層４１はこのような問題を解消するための層であり、遮蔽層４１を設けることによって、第１の印刷層１２や第２の印刷層１３の厚さが薄い場合であっても、所望のデザイン性がはっきりと得られ、且つ、表裏を容易に識別することが可能となる。
【００３５】
本発明は、以上説明した実施の形態に限定されることなく、特許請求の範囲に記載された発明の範囲内で種々の変更が可能であり、それらも本発明の範囲内に包含されるものであることはいうまでもない。
【００３６】
例えば、上記各実施形態においては、ディスク本体１１のレーベル面１１ｂに第１の印刷層１２が直接形成されているが、光入射面１１ａ側からの視認性が損なわれない限り、ディスク本体１１のレーベル面１１ｂと第１の印刷層１２との間に他の層を介在させても構わない。同様に、上記各実施形態においては、第２の印刷層１３が光記録媒体１０，４０の最外層を構成しているが、光入射面１１ａとは反対側からの視認性が損なわれない限り、第２の印刷層１３上に他の層を介在させても構わない。
【００３７】
また、本発明において第１の印刷層１２の印刷内容と第２の印刷層１３の印刷内容が異なっていることは必須でなく、例えば、光入射面１１ａ側からみた第１の印刷層１２の印刷内容と、光入射面１１ａとは反対側からみた第２の印刷層１３の印刷内容を同じとすることにより、表裏とも同じデザインの光記録媒体を構成することも可能である。
【００３８】
さらに、上記各実施形態にかかる光記録媒体１０，４０は、いずれも厚さが約１．２ｍｍ、直径が約１２０ｍｍの円盤状であるが、本発明の適用が可能なディスクがこれに限定されるものではない。また、その外形が円盤状であることも必須でなく、光入射面１１ａやレーベル面１１ｂが矩形状であっても構わない。
【図面の簡単な説明】
【００３９】
【図１】本発明の好ましい実施形態による光記録媒体１０の外観を模式的に示す切り欠き斜視図である。
【図２】ディスク本体１１の構造のいくつかの例を示す図であり、（ａ）は次世代型ディスク、（ｂ）はＤＶＤ型ディスクの断面をそれぞれ示している。
【図３】ＲＯＭ型ディスクにおける機能層２２の構成を示す略断面図である。
【図４】追記型ディスクにおける機能層２２の構成を示す略断面図である。
【図５】書き換え型ディスクにおける機能層２２の構成を示す略断面図である。
【図６】本発明の好ましい他の実施形態による光記録媒体４０の外観を模式的に示す切り欠き斜視図である。
【符号の説明】
【００４０】
１０，４０  光記録媒体
１１        ディスク本体
１１ａ      光入射面
１１ｂ      レーベル面
１２        第１の印刷層
１３        第２の印刷層
１４        中心孔
２１        支持基板
２２，３３  機能層
２２ａ      反射層
２２ｂ      記録層
２２ｃ      誘電体層
２３        光透過層
３１        光透過性基板
３２        ダミー基板
３４        保護層
３５        接着層
４１        遮蔽層
【図１】
2005346866.tif 000003
【図２】
2005346866.tif 000004
【図３】
2005346866.tif 000005
【図４】
2005346866.tif 000006
【図５】
2005346866.tif 000007
【図６】
2005346866.tif 000008